(57)【要約】【課題】逆洗用の専用水槽が不要な濾過装置において、取り扱い性の向上及び洗浄能力の向上を図る。【解決手段】濾過装置３０は、水槽６内に立設された筒状体１と、筒状体１の内部に設けられた濾材２とを備えている。筒状体１の濾材２よりも上側の周壁には、筒状体１の内外をつなぐ通水口５が形成されている。濾過時には、濾過用ポンプ７によって水槽内の汚水が濾材２の下方に供給され、当該汚水は濾材２を上向きに通過した後、通水口５から水槽６内に戻される。逆洗時には、水槽６の水が通水口５を通じて筒状体１内に導入される。筒状体１に導入された水は、濾材２を下向きに流れて濾材２を洗浄した後、逆洗用ポンプ１１によって外部に排出される。【選択図】      図１
2004290718.tif 000002
【特許請求の範囲】
【請求項１】
水槽内に立設され、周壁の一部に通水口が形成された筒状体と、
前記筒状体の内部における前記通水口よりも下側に設けられた濾材と、
濾過時に前記水槽内の水を前記筒状体内部の前記濾材の下方に供給し、該水を前記濾材を通過させてから前記通水口を通じて前記水槽に戻す水循環手段と、
逆洗時に前記水槽内の水を前記通水口を通じて前記筒状体内に導入し、該水を前記濾材を通過させて前記濾材の下方から排出する排水手段とを備えている濾過装置。
【請求項２】
濾過後の被処理水を貯留する水槽内に立設され、周壁の一部に通水口が形成された筒状体と、
前記筒状体の内部における前記通水口よりも下側に設けられた濾材と、
濾過時に濾過前の被処理水を前記筒状体内部の前記濾材の下方に供給し、該水を前記濾材を通過させてから前記通水口を通じて前記水槽に排出する給水手段と、
逆洗時に前記水槽内の水を前記通水口を通じて前記筒状体内に導入し、該水を前記濾材を通過させて前記濾材の下方から排出する排水手段とを備えている濾過装置。
【請求項３】
請求項１又は２に記載の濾過装置であって、
逆洗時に前記濾材に付着した付着物を剥離させる剥離手段を備えている濾過装置。
【請求項４】
請求項３に記載の濾過装置であって、
前記剥離手段は、前記濾材の下方から気泡を供給する散気手段からなっている濾過装置。
【請求項５】
請求項４に記載の濾過装置であって、
前記筒状体の内部における前記通水口の下方又は近傍に、前記散気手段から供給された気泡が前記通水口に流れ込むことを防止する邪魔板が設けられている濾過装置。
【請求項６】
請求項１〜５のいずれか一つに記載の濾過装置を備え、前記濾材として生物処理機能を有する濾材を備えている水処理装置。
【発明の詳細な説明】
【０００１】
【発明の属する技術分野】
本発明は、濾過装置及び水処理装置に関する。
【０００２】
【従来の技術】
従来より、下水処理等において、汚水を濾過する濾過装置がよく用いられている。この種の濾過装置として、濾過塔と、濾過塔の中途部に設けられた濾材と、濾過塔内における濾材の下方に汚水を供給する供給管と、濾材の上方から濾過塔内の水を排出する排出管とを備えたものが知られている。この濾過装置では、濾過時には、供給管を通じて汚水が濾過塔内に供給され、当該汚水は濾材を上向きに通過することによって濾過される。そして、濾過後の水は排出管から排出される。
【０００３】
ところで、濾過動作を長時間続けると、濾材に固形物が付着し、濾材が閉塞する。その結果、十分な濾過が行えなくなる。そこで、多くの濾過装置では、濾材の洗浄のためにいわゆる逆洗を行う。すなわち、濾材に対して水を逆向きに流し、濾材に付着した固形物を水の流れと共に排出させる。なお、この際、固形物の剥離を促すために、濾材の下方から散気を行うことも多い。
【０００４】
逆洗に際しては、逆洗用の洗浄水が必要である。従来は、逆洗用の洗浄水を貯留する貯留槽を、濾過装置と別々に用意していた。そのため、貯留槽の分だけ装置が大型化し、大きな設置スペースを確保しておかなければならないという課題があった。
【０００５】
そこで、装置を小型化するために、逆洗用の貯留槽を不要とする濾過装置が開発されている。
【０００６】
例えば、特許文献１には、処理槽を前区画室と後区画室とに区画し、逆洗時には、浄化された被処理水を逆洗用の洗浄水として前区画室から後区画室へ繰り返し循環させる装置が開示されている。
【０００７】
また、特許文献２には、濾床を備える濾過槽と、濾過槽と平行に立設された流入液導入管と、濾過槽の下部と流入液導入管とを接続する移流管とからなる濾過装置が開示されている。この濾過装置では、濾過時には、流入液導入管から移流管を通じて濾過槽に被処理液を供給し、この被処理液は濾床を上向きに流れ、濾過される。一方、逆洗時には、濾過槽の水は濾床を下向きに流れて濾床を洗浄し、移流管及び流入液導入管を通じて外部に排出される。
【０００８】
【特許文献１】
特開平９−３０８８９３号公報
【特許文献２】
特開２００２−１１３３１０号公報
【０００９】
【発明が解決しようとする課題】
しかし、前記特許文献１に開示された濾過装置では、逆洗後に面倒な作業を行わなければならなかった。すなわち、装置内の水を逆流させた後に、濃厚なＳＳ（浮遊物質）を含む洗浄水を前区画室と後区画室との間から引き抜き排出すると共に、後区画室の上部から、ＳＳの混入する被処理液を所定時間（つまり、後区画室の上部の被処理液が清澄になるまで）原水槽に戻す必要があった。そのため、取り扱いが面倒であった。
【００１０】
前記特許文献２に開示された濾過装置は、濾過槽の水自体を逆洗用の洗浄水として利用するものであるため、利用可能な水量が限られていた。すなわち、濾過槽に貯留されている水が全部排出されると、もはや逆洗動作を継続することができなくなる。そのため、洗浄能力が十分大きいとは言い難かった。
【００１１】
本発明は、かかる点に鑑みてなされたものであり、その目的とするところは、逆洗用の専用水槽が不要な濾過装置において、取り扱い性の向上及び洗浄能力の向上を図ることにある。
【００１２】
【課題を解決するための手段】
本発明に係る濾過装置は、水槽内に立設され、周壁の一部に通水口が形成された筒状体と、前記筒状体の内部における前記通水口よりも下側に設けられた濾材と、濾過時に前記水槽内の水を前記筒状体内部の前記濾材の下方に供給し、該水を前記濾材を通過させてから前記通水口を通じて前記水槽に戻す水循環手段と、逆洗時に前記水槽内の水を前記通水口を通じて前記筒状体内に導入し、該水を前記濾材を通過させて前記濾材の下方から排出する排水手段とを備えているものである。
【００１３】
上記濾過装置では、濾過時には、水槽内の被処理水が濾材の下方に供給され、この被処理水は濾材の内部を上向きに流れることによって濾過される。濾過後の被処理水は、通水口を通じて筒状体から排出され、再び水槽内に戻される。水槽内に戻った被処理水は、再び筒状体内部の濾材の下方に供給され、濾材を通過することによって濾過される。このような循環動作により、水槽内の被処理水は浄化されていく。
【００１４】
一方、逆洗時には、水槽内の水が通水口を通じて筒状体の内部に導入され、濾材の内部を下向きに通過する。これにより、濾材に付着した付着物は、水の流れに乗って除去される。そして、付着物を含んだ水は、濾材の下方から外部に排出される。このような水の流通動作により、濾材は洗浄されることになる。
【００１５】
上記濾過装置によれば、濾過時には水循環手段を駆動することにより、容易に濾過を行うことができる。また、逆洗時には排水手段を駆動することにより、濾材の洗浄を容易に行うことができる。したがって、取り扱いが容易である。
【００１６】
また、水槽内の水を逆洗用の洗浄水として利用するので、濾過装置の容量以上の水、すなわち水槽内の大量の水を洗浄水として利用することができる。したがって、十分な洗浄能力を発揮することができる。
【００１７】
本発明に係る他の濾過装置は、濾過後の被処理水を貯留する水槽内に立設され、周壁の一部に通水口が形成された筒状体と、前記筒状体の内部における前記通水口よりも下側に設けられた濾材と、濾過時に濾過前の被処理水を前記筒状体内部の前記濾材の下方に供給し、該水を前記濾材を通過させてから前記通水口を通じて前記水槽に排出する給水手段と、逆洗時に前記水槽内の水を前記通水口を通じて前記筒状体内に導入し、該水を前記濾材を通過させて前記濾材の下方から排出する排水手段とを備えているものである。
【００１８】
上記濾過装置では、濾過時には、水槽の外部から被処理水が濾材の下方に供給され、この被処理水は濾材の内部を上向きに流れることによって濾過される。濾過後の被処理水は、通水口を通じて筒状体から排出され、水槽内に蓄えられる。
【００１９】
一方、逆洗時には、水槽内の被処理水が通水口が通じて筒状体の内部に導入され、濾材の内部を下向きに通過する。これにより、濾材に付着した付着物は水と共に流れ落ちる。そして、付着物を含んだ水は、濾材の下方から外部に排出される。
【００２０】
したがって、上記濾過装置においても、逆洗時には排水手段を駆動することにより、濾材の洗浄を容易に行うことができる。また、水槽内の水を逆洗用の洗浄水として利用するので、大量の水を洗浄水として利用することができる。したがって、取り扱い性の向上及び洗浄能力の向上を図ることができる。
【００２１】
前記濾過装置は、逆洗時に前記濾材に付着した付着物を剥離させる剥離手段を備えていることが好ましい。
【００２２】
このことにより、濾材の洗浄能力を向上させることができる。
【００２３】
前記剥離手段は、前記濾材の下方から気泡を供給する散気手段からなっていてもよい。
【００２４】
前記筒状体の内部における前記通水口の下方又は近傍には、前記散気手段から供給された気泡が前記通水口に流れ込むことを防止する邪魔板が設けられていることが好ましい。
【００２５】
このことにより、逆洗時に通水口が気泡によって塞がれることが防止され、通水口を通じて水槽内の水を筒状体の内部に円滑に導入することができる。したがって、逆洗動作の円滑化を図ることができ、十分な洗浄能力を確保することができる。
【００２６】
本発明に係る水処理装置は、前記濾過装置を備え、前記濾材として生物処理機能を有する濾材を備えているものである。
【００２７】
上記水処理装置によれば、被処理水が濾材を通過する際に、濾過と共に生物処理が行われる。その結果、水は高度に浄化される。
【００２８】
【発明の実施の形態】
以下、本発明の実施の形態を図面に基づいて説明する。
【００２９】
＜実施形態１＞
図１に示すように、濾過装置３０は、汚水が貯留された水槽６内に設けられている。図１及び図２に示すように、濾過装置３０は、上部が開放された円筒形状の筒状体１と、筒状体１の内部に設けられた濾材２とを備えている。濾材２は、筒状体１の下側に配置されている。なお、水槽６は、被処理水を貯留する水槽であればよく、濾過用水槽などのように人工の水槽であってもよく、河川や湖沼等の天然の水槽であってもよい。本実施形態に係る濾過装置３０は、その全部又は大部分が水槽６内の汚水に浸漬されている。
【００３０】
濾材２よりも下側に位置する筒状体１の周壁には、供給管９が接続されている。供給管９は、水槽６内の汚水を筒状体１の内部に供給する配管である。供給管９の上流側は上方に延び、その上流端にはフランジ１０が設けられている。供給管９はフランジ１０を介して供給管８に接続されている。供給管８の上流側は下方に延びており、供給管８の上流端には水中ポンプからなる濾過用ポンプ７の吐出側が接続されている。このように濾過装置３０では、濾過用ポンプ７によって、水槽６内の汚水が供給管８，９を通じて筒状体１内の濾材２の下側に供給されるようになっている。
【００３１】
また、濾材２よりも下側に位置する筒状体１の周壁には、濾材２の下方から筒状体１内の水を排出する排出管１２が接続されている。排出管１２の下流側は上方に向かって延びている。排出管１２には、排出方向と逆方向の水の流れを阻止する逆止弁２９が設けられており、その下流端にはフランジ１４が形成されている。排出管１２は、フランジ１４を介して排出管１３に接続されている。排出管１３の下流側は下向きに延びており、排出管１３の下流端は水中ポンプからなる逆洗用ポンプ１１の吸込側に接続されている。逆洗用ポンプ１１の吐出側は、水槽６の外部に延びる排出管１５に接続されている。
【００３２】
筒状体１の内部における濾材２の下方には、散気管１８が設けられている。散気管１８は、エア配管１７を介して、水槽６の外部に配置されたブロワ１６に接続されている。
【００３３】
濾材２よりも上側に位置する筒状体１の周壁の一部には、筒状体１の内外をつなぐ通水口５が形成されている。本実施形態では、通水口５は、筒状体１の全周にわたって散点的に配された複数の開口で構成されている。ただし、通水口５の形状、大きさ、配置態様等は、何ら限定されるものではない。
【００３４】
通水口５の内側には、筒状体１の内壁と対向する略筒状の邪魔板４が設けられている。この邪魔板４は、逆洗時に散気管１８から放出された気泡が通水口５に流れ込むことを防止するためのものである。邪魔板４の下端部は径方向外側に屈曲し、筒状体１の内壁とつながっている。これにより、邪魔板４の下側は閉鎖されている。一方、邪魔板４の上端部は筒状体１の内壁から離間している。このように、邪魔板４と筒状体１の内壁との間には、下側が通水口５とつながり且つ上側が開放した隙間が形成されている。
【００３５】
さらに、筒状体１の内部には、邪魔板４を覆うガイド板３が設けられている。このガイド板３は、逆洗時に散気管１８から放出された気泡を上方に導く案内部材である。ガイド板３は、下側から上側に向かっていったん内径が小さくなった後、再び内径が大きくなるような略ノズル状に形成されている。ガイド板３の上端部は、筒状体１の内壁とつながっている。一方、ガイド板３の下端部は、筒状体１の内壁から離れており、内壁との間に隙間が形成されている。
【００３６】
水槽６には、濾過対象となる汚水を導入する導入管１９が配置されている。導入管１９には、開閉弁２０が設けられている。
【００３７】
また、水槽６には、濾過後の水槽６内の水を排出するための濾過水排出弁２１が設けられている。濾過水排出弁２１は、濾過水排出管２２に接続されている。また、水槽６の側面の底部には、ドレン管２４に接続されたドレン弁２３が設けられている。
【００３８】
次に、濾過装置３０の濾過動作及び逆洗動作について説明する。
【００３９】
濾過時には、濾過用ポンプ７を起動する。このことにより、水槽６の内部には、図３に示すような水の循環が生じる。
【００４０】
すなわち、水槽６内の汚水は、濾過用ポンプ７及び供給管８，９を通じて、筒状体１の濾材２の下方に供給される。筒状体１の内部に供給された汚水は、筒状体１内を上向きに流れ、濾材２を上向きに通過する。この際、汚水に含まれる固形物等は濾材２に付着し、汚水は濾過される。濾材２を通過した後の水は、ガイド板３と邪魔板４との間の隙間からガイド板３の内側に流れ込む。そして、この水は、邪魔板４と筒状体１の内壁との間の隙間に上方から流れ込み、当該隙間から通水口５を通って筒状体１の外部に流れ出す。そして、再び水槽６内に戻る。その後、水槽６に戻った水は、再び濾過用ポンプ７によって筒状体１の内部に供給され、上述の流通動作を繰り返す。
【００４１】
以上のように、水槽６内では、汚水が筒状体１の内外を連続的に循環する。その結果、汚水は徐々に濾過され、浄化されていく。
【００４２】
一方、逆洗時には、濾過用ポンプ７を停止し、逆洗用ポンプ１１及びブロワ１６を起動する。
【００４３】
これにより、図４に示すように、水槽６内の濾過後の清浄な水は、筒状体１の内部を濾過時と逆向きに流れる。すなわち、通水口５から筒状体１の内部に吸い込まれた水は、邪魔板４と筒状体１の内壁との隙間を上向きに流れた後、ガイド板３と邪魔板４との間の隙間を下向きに流れ、ガイド板３の外側に流れ出る。そして、ガイド板３の外側に流れ出た水は、濾材２の内部を下向きに流れる。一方、ブロワ１６から供給されたエアは散気管１８から放出され、気泡となって濾材２に供給される。この結果、濾材２に付着した付着物は剥離し、濾材２内を下向きに流れる前記水の流れに乗って下向きに流される。
【００４４】
その後、付着物を含んだ水は、濾材２の下方に流れ出し、排出管１２，１３を通じて逆洗用ポンプ１１に吸引され、この逆洗用ポンプ１１から吐出された後、排出管１５を通じて外部に排出される。以上により、濾材２に付着した付着物が取り除かれ、濾材２は洗浄されることになる。
【００４５】
なお、濾過後の清浄な水を後工程に送る場合には、濾過水排出弁２１を開放する。これにより、水槽６内の清浄な水は、濾過水排出管２２を通じて排出される。
【００４６】
以上のように、本実施形態によれば、水槽６の内部に濾過装置３０を直接設け、水槽６の水を逆洗用の洗浄水として利用するので、濾過装置３０の容量以上の水を洗浄水として利用することができる。すなわち、水槽６の大量の水を洗浄水として利用することができる。したがって、十分な洗浄能力を発揮することができる。
【００４７】
濾過時には濾過用ポンプ７を駆動するだけで足りる一方、逆洗時には逆洗用ポンプ１１及びブロワ１６を駆動するだけで足りるので、濾過及び逆洗を簡単に行うことができ、取り扱いが容易である。
【００４８】
筒状体１の通水口５の近傍に邪魔板４を設け、また、気泡を上方に導くガイド板３を設けることとしたので、逆洗時に散気管１８から供給された気泡が通水口５を塞ぐことをより確実に防止することができる。したがって、逆洗動作をより円滑に行うことができる。
【００４９】
また、本実施形態によれば、濾過装置３０の全体が水槽６の内部に収容されているので、濾過装置３０から離れた場所に濾過処理専用の水槽を設ける必要はない。そのため、濾過装置３０と水槽とをつなぐ配管が不要になるので、設置工事を簡易化することができる。また、必要な弁の個数も少なく抑えることができる。
【００５０】
また、本実施形態では、配管（供給管８，９及び排出管１２，１３）が水槽６の水に浸漬されているので、冬季における配管凍結防止のための保温工事や筒状対１の保温工事が不要となる。
【００５１】
供給管８と供給管９とを水槽６の上部においてフランジ１０を介して接続しているので、両供給管８，９の接続作業及び取り外し作業を容易に行うことができる。同様に、排出管１２と排出管１３とを水槽６の上部においてフランジ１４を介して接続しているので、両排出管１２，１３の接続作業及び取り外し作業を容易に行うことができる。したがって、メンテナンスが容易になる。
【００５２】
また、本実施形態によれば、濾過装置３０の構造を簡単化することができる。
【００５３】
なお、上記実施形態では、逆洗用ポンプ１１を筒状体１の外部に設けていたが、図５に示すように、逆洗用ポンプ１１を筒状体１の内部に設けてもよい。このことにより、メンテナンスが更に容易になる。また、濾過装置３０をより小型化することができる。
【００５４】
逆洗時に濾材２の付着物を剥離させる剥離手段は、散気管１８に限定されるものではない。例えば、濾材２に衝撃を与える手段であってもよく、超音波振動子等のように、濾材２に振動を与える手段であってもよい。また、剥離手段は、必ずしも必要なものではなく、濾材２の種類に応じて適宜省略することも可能である。
【００５５】
なお、濾材２の種類は何ら限定されず、例えば、プラスチック等の有機系の濾材であってもよく、無機系の濾材であってもよい。砂状の濾材であってもよい。また、濾材２の形状も何ら限定されず、例えば粒状、板状、繊維状、網目状などであってもよい。
【００５６】
筒状体１は円筒形状に限らず、矩形状等、他の形状の筒状体であってもよい。
【００５７】
＜実施形態２＞
実施形態１は、濾過対象の被処理水を貯留した水槽６の内部に濾過装置３０を設け、水槽６内で被処理水を循環させることによって濾過を行う形態であった。しかし、本発明に係る濾過装置は、水を循環させる形態に限らず、水を一方向に流通させることによって濾過を行う形態で実施することも可能である。
【００５８】
例えば、濾過装置３０を水槽の内部に配置しつつ、濾過対象の被処理水を水槽の外部から筒状体１内の濾材２の下方に供給するようにしてもよい。すなわち、外部から供給した被処理水を濾過装置３０で濾過し、濾過後の水を筒状体１の通水口５を通じて水槽に供給するようにしてもよい。そして、逆洗時には、水槽の水を利用して濾材２の洗浄を行う。すなわち、水槽の水を通水口５から導入し、この水を下向きに流通させることによって濾材２を洗浄し、洗浄後の水を外部に排出する。このような実施形態であっても、実施形態１と同様の効果を発揮することができる。
【００５９】
また、図６に示すように、濾過装置３０を２つの水槽２５，２６にまたがって配置してもよい。すなわち、濾過対象としての被処理水を貯留する水槽２５と、濾過後の清浄な水を貯留する水槽２６とにわたって、濾過装置３０を配置してもよい。本実施形態では、水槽２５には開閉弁２０を備えた導入管１９が設けられ、この導入管１９を通じて水槽２５内に被処理水が導入される。一方、水槽２６には、濾過水排出弁２１を備えた濾過水排出管２２が接続されている。
【００６０】
本実施形態では、濾過用ポンプ７は水槽２５内に設けられ、水槽２５の被処理水を筒状体１内の濾材２の下方に供給する。一方、通水口５（図６では図示せず）は、筒状体１における水槽２６側の周壁のみに形成されている。したがって、通水口５は、筒状体１の内部と水槽２６とを連通させている。
【００６１】
濾過時には、水槽２５の被処理水が筒状体１の濾材２の下方に供給される。そして、被処理水は濾材２を上向きに流れて濾過された後、通水口５を通じて水槽２６に排出される。その結果、水槽２６に、濾過後の清浄な水が蓄えられる。
【００６２】
一方、逆洗時には、水槽２６の清浄な水が通水口５を通じて筒状体１に導入され、上記水は濾材２を下向きに流れる。この際、散気管１８（図６には図示せず）から濾材２に対して気泡が供給される。その結果、濾材２に付着した付着物は剥離し、下向きに流れる水の流れに乗って排出される。その後、付着物を含んだ水は、逆洗用ポンプ１１によって外部に排出される。このようにして、濾材２は洗浄される。
【００６３】
したがって、本実施形態においても、実施形態１と同様の効果を得ることができる。
【００６４】
＜その他の実施形態＞
なお、前記各実施形態の濾過装置３０は、濾材２として生物濾材（生物処理機能を有する濾材）を用いることにより、水処理装置として機能させることが可能である。すなわち、本発明に係る水処理装置は、前記濾過装置３０の構成を有し、濾材２を生物濾材としたものである。
【００６５】
本水処理装置によれば、被処理水が濾材を通過する際に、濾過と共に生物処理が行われる。その結果、水を高度に浄化することができる。
【００６６】
【発明の効果】
本発明によれば、水循環手段又は給水手段を駆動することにより容易に濾過を行うことができる一方、排水手段を駆動することにより容易に逆洗を行うことができる。したがって、装置の取り扱い性を向上させることができる。
【００６７】
また、逆洗用の洗浄水として水槽内の水を使用するので、大量の水を洗浄水として利用することができる。したがって、洗浄能力の向上を図ることができる。
【００６８】
濾材に付着した付着物を剥離させる剥離手段を備えることとすれば、洗浄能力を更に向上させることができる。
【００６９】
剥離手段として前記濾材の下方から気泡を供給する散気手段を備え、当該散気手段から供給された気泡が筒状体の通水口に流れ込むことを防止する邪魔板を設けることとすれば、逆洗時に気泡によって通水口が塞がれることをより確実に防止することができ、逆洗動作を円滑に行うことができる。したがって、濾材の洗浄能力を更に向上させることができる。
【図面の簡単な説明】
【図１】実施形態１に係る濾過装置の構成図である。
【図２】筒状体の平面図である。
【図３】濾過時の水の流れを示す濾過装置の構成図である。
【図４】逆洗時の水の流れを示す濾過装置の構成図である。
【図５】変形例に係る濾過装置の構成図である。
【図６】実施形態２に係る濾過装置の概念図である。
【符号の説明】
１                  筒状体
２                濾材
３                ガイド板
４                邪魔板
５                通水口
６                水槽
７                濾過用ポンプ（水循環手段，給水手段）
８，９            供給管
１１              逆洗用ポンプ（排水手段）
１２，１３，１５  排出管
１６              ブロワ
１８              散気管（剥離手段，散気手段）
３０              濾過装置
【図１】
2004290718.tif 000003
【図２】
2004290718.tif 000004
【図３】
2004290718.tif 000005
【図４】
2004290718.tif 000006
【図５】
2004290718.tif 000007
【図６】
2004290718.tif 000008